(57)【要約】  物品取付装置は、表面に取付ることができる伸張剥離可能な粘着性ストリップを備える。粘着性ストリップは、ベース上に配置され、一方、非粘着性プルタブ部分は、ユーザーによる容易な取り外しを可能にするように、見えている。取付装置は、壁、天井、及びその他などの異なる表面への様々な物品の取付を可能にするように、調節可能な突出部を備える。【選択図】図１
2019520168.tif 000002
【特許請求の範囲】
【請求項１】
第１の主面及び第２の主面を有するベースを備える物品取付装置であって、
前記第１の主面が、粘着性部分及び非粘着性プルタブ部分を有する伸張剥離可能な粘着性ストリップに取付られた第１の主表面を備え、
前記第２の主面が、物品を受けるための剛性突出部を備え、
前記突出部が、前記ベースに対して調節可能である、物品取付装置。
【請求項２】
前記突出部が、第１及び第２の部分を有する調節可能な取付台に解放可能に取付られており、前記第１の部分が前記突出部を備える、請求項１に記載の物品取付装置。
【請求項３】
位置ロック機構を含む、請求項１に記載の物品取付装置。
【請求項４】
前記調節可能な取付台が、ボールソケットジョイント及び移動可能なプレートのうちの少なくとも１つを備える、請求項２に記載の物品取付装置。
【請求項５】
前記調節可能な取付台が、ボールソケットジョイントを含み、前記ベースが、前記ボールソケットジョイントのソケット部を備え、前記突出部が、前記ボールソケットジョイントのボールに取付られた、請求項４に記載の物品取付装置。
【請求項６】
前記突出部が、外向きに突出したヘッドボルトである、請求項５に記載の物品取付装置。
【請求項７】
前記位置ロック機構が、保持ネジを備え、前記ボールソケットジョイントが、前記保持ネジによって所定位置に保持された、請求項３又は５に記載の物品取付装置。
【請求項８】
前記位置ロック機構が、ロックタブを備え、前記ボールソケットジョイントが、前記ロックタブによって所定位置に保持された、請求項３又は５に記載の物品取付装置。
【請求項９】
前記位置ロック機構が、前記ベースの前記第２の主面上に一連のノッチを備え、前記移動可能なプレートが、前記ノッチに固定される、請求項３に記載の物品取付装置。
【請求項１０】
前記突出部が、調節可能な長さを有する、請求項１〜６及び９のいずれか一項に記載の物品取付装置。
【請求項１１】
前記ベースの前記第２の主面が、前記突出部の中心位置を示す一連のマーカーを備える、請求項１〜６及び９のいずれか一項に記載の物品取付装置。
【請求項１２】
実施形態のいずれか１つ又は添付の図面のいずれか１つを参照して説明したような物品取付装置。
【発明の詳細な説明】
【技術分野】
【０００１】
本発明は、絵画、飾り、用具、工具などの多様な物品を表面上に取付る又は吊り下げるための装置に関する。
【背景技術】
【０００２】
絵画、額入り写真、及び他の吊り下げられた物品は、通常、フック、クリップ、ハンガー、及び様々な他の支持装置を使用して壁又は天井に取付られる。参照を容易にするために、用語「物品」は、本明細書では、上記に列挙した、本発明の装置とともに使用するのに好適なタイプの物品を指すために使用される。歴史的に、これらの取付装置は、多くの場合、釘又はねじによって壁に直接取付られている。釘又はねじは、物品を取り外して移動する場合に、表面に損傷を及ぼすことがあり、表面は、頻繁に修理が必要となる。
【０００３】
この問題に対する解決策は、伸張剥離可能な粘着性テープを有する取付装置の提供である。このタイプの粘着剤は、取付表面への損傷を与えることなしに、取付表面への及びそれからの装置の取付及び取り外しを容易にする。
【０００４】
伸張剥離粘着剤は、強力な保持力をきれいな除去とを併せ持ち、表面損傷を伴わない感圧性接着剤である。伸張剥離粘着剤は、通常、粘着性部分及び伸張除去工程中にユーザによって握られて引っ張られる非粘着性プルタブ部分を含むストリップの形態で提供される。伸張剥離可能な粘着剤を使用する物品支持装置は、多くの場合、ベースを備え、このベースは、支持本体と組み合わせて、伸張剥離可能な粘着性テープに取付られるように構成されている。この装置の一例は、米国特許第５４０９１８９号に見出すことができる。
【０００５】
多くの場合、これらの取付装置は、フック、クリップ、ハンガーを含み、このフック、クリップ、ハンガーは、取付表面に方向付けられた角度を１つのみを有する。装置を吊り下げるために必要なフックは、物品が取付られることになる表面に対するその角度又はその長さのいずれかを調整することができないような形状になっている。そのような装置の一例は、米国特許第８７０８３０５号に開示されている。この制約は、固定された向きを有するフックを使用して制限された範囲の物品しか取付ることができないため、問題である。個々の物品によって取付ることができる物品の範囲もまた限定される。例えば、米国特許第８７０８３０５号に見られる装置は、天井に取付るためには物品を適切に保持しないことになる。固定された向きの別の問題は、物品が同じ取付装置上で交換することができないことである。
【０００６】
したがって、これらの取付装置では、取付ることができる表面、取付ることができる物品の範囲、及び物品を取付ることができる向きのいずれもに限定された自由が存在する。
【０００７】
本開示の目的は、上述した問題の少なくとも一部を軽減することである。
【発明の概要】
【０００８】
本開示によれば、
第１の主面及び第２の主面を有するベースを備える物品取付装置であって、
第１の主面が、粘着性部分及び非粘着性プルタブ部分を有する伸張剥離可能な粘着性ストリップに取付られた第１の主表面を備え、
第２の主面が、物品を受けるための剛性突出部を備え、
突出部が、ベースに対して調節可能である、物品取付装置が提供される。
【０００９】
好都合に、調節可能な突出部は、ベースに対して様々な角度及び長さを提供する。これは、角度特定の吊り下げ装置の必要性を省くため、利点である。
【００１０】
現在好ましい実装形態では、突出部が、第１及び第２の部分を有する調節可能な取付台に解放可能に取付られており、第１の部分が前記突出部を備える。
【００１１】
現在好ましい実装形態では、装置は、位置ロック機構を備える。
【００１２】
好都合に、位置ロック機構は、突出部を所定位置にロックすることができることを確実にすることができる。これにより、物品を、指定された位置及び指定された角度に確実に取付ることができる。これは、突出部の角度を吊り下げられることになる物品に適応させることができるため、利点である。これにより、物品が装置から外れるリスクを低減する。これは、特定の重量のある物品に関して、特に重要であり得る。また、取付装置の安全性は、特定の高価な品物に関して特に重要であり得、それにより、品物が装置から外れる事態に品物に生じる損傷を防止することができる。
【００１３】
現在好ましい実装形態では、調節可能な取付台は、ボールソケットジョイントである。
【００１４】
好都合に、ボールソケットジョイントは、突出部を物品に対して固定することができる広範な角度を提供する。更に、継ぎ手のボール部分は、取付られた突出部の滑らかな回転を可能にする。
【００１５】
現在好ましい実装形態では、ベースは、ボールソケットジョイントのソケットを含み、突出部は、ボールソケットジョイントのボールに取付られる。
【００１６】
これは、物品取付装置のより容易な製造を可能にするため、利点である。
【００１７】
現在の好ましい実装形態では、ボールソケットジョイントは、保持ネジによって所定位置に保持される。
【００１８】
現在の好ましい実装形態では、ボールソケットジョイントは、ボールソケットジョイントに隣接して配置されたロックタブによって所定位置に保持される。
【００１９】
現在の好ましい実装形態では、突出部は、外向きに突出したヘッドボルトである。
【００２０】
現在の好ましい実装形態では、調節可能な取付台は、移動可能なプレートを備える。
【００２１】
好都合に、突出部は、装置の長さを上下に移動させることができ、再び、取付られることになる物品の位置の調節を可能にする。
【００２２】
現在の好ましい実装形態では、位置ロック機構は、ベースの第２の主面上の一連のノッチを含み、移動可能なプレートは、ノッチに固定される。
【００２３】
好都合に、移動可能なプレートは、所定位置に固定されて、物品の取付の安全性を確実にする。
【００２４】
現在の好ましい実装形態では、突出部は、調節可能な長さを有する。
【００２５】
好都合に、調節可能な長さを有する突出部は、広範な物品を取付ることを可能にする。例えば、取付られることになる大きくかつ重い時計は、それが安全に取付られることを確実にするために、より長い突出部を必要とすることがある。しかし、ひもを使用して取付られる小さくかつ軽い台所用品は、確実に取付るために、より短い突出部を必要とする場合がある。更に、より長い突出部は、一部のユーザの美的目的には好適でないことがある。この特徴はまた、装置を再配置することを可能にし、したがって、物品取付装置の再使用を可能にする。
【００２６】
現在の好ましい実装形態では、ベースの第２の主面は、突出部の中心位置を示す一連のマーカーを備える。
【００２７】
好都合に、物品取付装置を表面に固定するとき、マーカーは、ユーザが装置を位置決めするのを支援することができる。
【図面の簡単な説明】
【００２８】
【図１】ボールソケットジョイント及び保持ネジを有する、本開示の物品取付装置の第１の実施形態の正面斜視図である。
【図２】図１の物品取付装置の背面斜視分解組立図である。
【図３】図１の物品取付装置の側面図である。
【図４】図１の線ＩＶ−ＩＶに沿って取られた、図１の物品取付装置の断面図である。
【図５】ボールソケットジョイント及びロックタブを有する、本開示による物品取付装置の第２の実施形態の正面斜視図である。
【図６】図５の物品取付装置の側面図である。
【図７】図５の線ＶＩＩ−ＶＩＩに沿って取られた、図５の物品取付装置の断面図である。
【図８】移動可能なプレートを有する、本開示による物品取付装置の第３の実施形態の正面斜視図である。
【図９】図８の線ＩＸ−ＩＸに沿って取られた、図８の物品取付装置の断面図である。
【発明を実施するための形態】
【００２９】
図１は、概して１で示す物品支持装置を示す。装置は、概して１０で示すベースを有し、ベース１０は、第１の主面４２及び第２の主面１２（図２に示す）を有する。ベース１０は、上部区域１４及び下部区域１６を含む。下部区域１６は、概して１７で示す物品取付区域を含む。指グリップ１８は、上部区域１４及び下部区域１６にわたるベース１０の両側に見られる。下部区域１６は、物品取付区域の中心位置を示すマーカー１９及び１９ａを担持する。
【００３０】
ベースの下部区域１６に見られる物品取付区域１７は、ソケット部分２０及びボール部分２２を備える。ボール部分２２に取付られているのは、ねじを切ったホルダ２４である。ねじを切ったホルダ２４は、ボルト２６の形態の突出部を保持する。あるいは、ボルト２６は、任意の好適なフック、ノブ、ハンガー、部材、ロッドなどとすることができ、これらから物品（例えば、時計、用具、飾りなど）を吊り下げる又はこれらに取付ることができる。ボルト２６は、本開示の取付装置から逸脱することなく、バスケット、トレイ、受け皿、ラック、棚、ブラケット、クリップなどの付属品を支持するのに好適であり得る、任意の好適な継ぎ手、接続部、クランプなどを等しく含むことができる。
【００３１】
使用中、ボール部分２２は、以下のようにユーザによって位置決めされてもよい。ボール部分２２は、ユーザによって、ソケット部分２０内で、特定の物品を取付るために必要とされる位置及び角度に移動される。ボール部分２２は、図４に見られるように、ソケット部分２０内で滑らかな回転を与える。ボール部分２２の位置が一旦設定されると、位置は、位置ロック機構によって所定位置にロックすることができる。一旦この位置が設定されると、保持ネジ２８が締められて、ボール部分２２をソケット部分２０にロックする。ボルト２６は、その長さを増加又は減少させるためにホルダ２４の中にねじ込まれ、又は外にねじ出される。
【００３２】
図２は、概して３０で示す伸張剥離可能な粘着性ストリップを有する物品支持装置１を示す。伸張剥離可能な粘着性ストリップは、２つの側を有する。すなわち、表面に取付ることができる第１の粘着性部分３２及び物品取付装置１の第２のベース面に取付られた第２の粘着性部分３４である。粘着性ストリップ３０の第２の粘着側３２は、ベース１０の第２のベース面１２の少なくとも一部分にわたって配置されている。粘着性を含まないプルタブ部分３６は、粘着性ストリップ３０の除去を助けるために粘着性部分３２の下半分に取付られている。伸張剥離可能な粘着性ストリップ３０は、弾性バッキングを有する感圧性接着剤テープ、高伸縮性かつ実質的に非弾性のバッキングを有する感圧性接着剤テープ、又は固体弾性感圧性接着剤を含めた、任意の従来既知の伸張剥離可能な粘着剤とすることができる。本発明の様々な実施形態に使用するのに適した特定の伸張剥離可能な粘着性ストリップには、米国特許第４，０２４，３１２号（Ｋｏｒｐｍａｎ）に記載されている、弾性バッキングを備えた感圧性接着剤、米国特許第５，５１６，５８１（Ｋｒｅｃｋｅｌら）及びＢｒｉｅｓら（米国特許第６，２３１，９６２号）に記載されている、高伸縮性かつ実質的に非弾性のバッキングを備えた感圧性接着剤、並びにドイツ特許第３３３１０１６号に記載されている、固体弾性感圧性接着債が挙げられる。
【００３３】
好適な伸張剥離可能な粘着性ストリップとしては、３Ｍ  Ｃｏｍｐａｎｙ（Ｓｔ．Ｐａｕｌ，Ｍｉｎｎ．）から商品名ＣＯＭＭＡＮＤで入手可能な両面伸張剥離可能な粘着性ストリップが挙げられる。
【００３４】
図３では、物品取付装置１は、粘着性ストリップ３０を使用して表面４０に取付られる。プルタブ３６の少なくとも一部分は、第２のベース面１２の下側周辺部を越えて下方に延びる。これにより、物品取付装置１が表面４０に取付られたときにプルタブ３６を露出してかつ見えたままにすることができる。次に、エンドユーザは、物品取付装置１から物品を取り外した後、延伸除去工程中にプルタブ３６に容易にアクセスすることができる。
【００３５】
上述したように物品支持装置１が壁４０に一旦取付られると、保持ネジ２８（図４の詳細断面に示す）を緩めて、ユーザがソケット部分２０内でボール部分２２を物品に対して適切な位置に回転することができる。一旦ボール部分２２の位置が設定されると、保持ネジ２８が締められ、ボール部分２２が固定される。ボルト２６は、そのねじを切ったホルダ２４内でユーザによって長くする又は短くすることができる。
【００３６】
図５は、概して１００で示す物品支持装置の第２の実施形態を示す。物品支持装置１００は、ベース１１０と、概して１４２で示す第１の主面と、第２の主面１１２（図６に示す）とを有する。ベース１１０は、上部区域１１４及び下部区域１１６を含む。下部区域１１６は、概して１１７で示す物品取付区域を含む。指グリップ１１８は、上部区域１１４及び下部区域１１６に及ぶベース１１０の両側に見られる。下部区域１１６には、物品取付区域の中心位置を示すマーカー１１９及び１１９ａが示されている。ベースの下部区域１１６に見られる物品取付区域１１７は、ソケット部分１２０及びボール部分１２２を含む。ボール部分１２２に取付られているのは、ねじを切ったホルダ１２４である。ねじを切ったホルダ１２４は、ボルト１２６の形態の突出部を保持する。
【００３７】
使用中、ボール部分１２２は、以下のようにユーザによって位置決めされてもよい。ボール部分１２２は、ユーザによって、ソケット部分１２０内で、特定の物品を取付るために必要とされる位置及び角度に移動される。ボール部分１２２は、図７に見られるように、ソケット部分１２０内で滑らかな回転を与える。一旦ボール部分１２２の位置が設定されると、位置は、位置ロック機構によって所定位置にロックされる。ベースの下部区域１１６は、ロックタブ１２８の形態の位置ロック機構を含み、ロックタブ１２８は、押し嵌め又はスナップ嵌め接続によってベース１１６と係合する（明確には示されていない）。ロックタブ１２８を所定位置に押し込むことにより、スナップ嵌め接続部に係合する。これにより、ロックタブ１２８がボール部分１２２と係合して、ボール部分１２２を所定位置にロックする（図７の断面に示すように）。ボルト１２６は、その長さを増加又は減少させるためにホルダ１２４の中にねじ込まれ、又は外にねじ出される。
【００３８】
図６では、物品取付装置１は、粘着性ストリップ３０を使用して表面１４０に取付られている。プルタブ３６の少なくとも一部分は、第２のベース面１１２の下側周辺部を越えて下方に延びている。これにより、物品取付装置１が表面１４０に取付られたときにプルタブ３６を露出してかつ見えたままにすることができる。次に、エンドユーザは、物品取付装置１から物品を取り外した後、延伸除去工程中にプルタブ３６に容易にアクセスすることができる。
【００３９】
図８は、物品支持装置２００の第３の実施形態を示す。物品支持装置２００は、２１０で示すベースと、概して２４２で示す第１の主面と、第２の主面２１２（図９に示す）とを備える。ベースは、上部区域２１４及び下部区域２１６を含む。下部区域２１６は、概して２１７で示す物品取付区域を含む。指グリップ２１８は、ベース２１０のいずれかの側に見られる。下部区域２１６には、物品取付区域の中心位置を示すマーカー２１９及び２１９ａが示されている。
【００４０】
図８の実施形態は、物品取付区域２１７が、ボールソケットジョイント２０、２２、１２０、１２２それぞれの代わりに取付プレート２２８を備える点で、先の実施形態と異なる。
【００４１】
取付プレート２２８は、先の実施形態と共通して、ねじを切ったホルダ２２４及びボルト２２６を備える。取付プレート２２８は、以下のようにベース２１０上に取付られる。ベースは、連続する凹部２２０及び一対の切り欠き凹部を画定する。切り欠き凹部２２１、２２１ａは、マーカー２１９ａと位置合わせされた一連のノッチ２２２、２２２ａを有する。
【００４２】
図９を簡単に参照して、取付プレート２２８は、一対のラグ２３２及び２３２ａ、並びに案内部分２３０を有する。案内部分２３０は、連続凹部２２０内に位置して、安定性及び位置決めの容易さを提供する。ラグ２３２及び２３２ａは、凹部２２１及び２２１ａそれぞれに係合する。
【００４３】
使用中に、ユーザは、物品によって必要とされる高さに適合する一対の凹部２２２及び２２２ａを選択する。ユーザは、図９に示すように、取付プレート２２８上のラグ２３２及び２３２ａを凹部２２２及び２２２ａの選択された対に位置決めする。これにより、取付プレート２２８がベース２１０内に固定される。ボルト２２６は、ねじを切ったホルダ２２４内で長さを増加する又は減少することができる。
【００４４】
繰り返しを避けるために、装置２００を表面に取付る方法は、第１及び第２の実施形態に関して上述した工程と同一である。
【図１】
2019520168.tif 000003
【図２】
2019520168.tif 000004
【図３】
2019520168.tif 000005
【図４】
2019520168.tif 000006
【図５】
2019520168.tif 000007
【図６】
2019520168.tif 000008
【図７】
2019520168.tif 000009
【図８】
2019520168.tif 000010
【図９】
2019520168.tif 000011
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
第１の主面及び第２の主面を有するベースを備える物品取付装置であって、
前記第１の主面が、粘着性部分及び非粘着性プルタブ部分を有する伸張剥離可能な粘着性ストリップに取付られた第１の主表面を備え、
前記第２の主面が、物品を受けるための剛性突出部を備え、
前記突出部が、前記ベースに対して調節可能であると共に、調節可能な長さを有する、物品取付装置。
【請求項２】
前記突出部が、第１及び第２の部分を有する調節可能な取付台に解放可能に取付られており、前記第１の部分が前記突出部を備え、前記調節可能な取付台が、ボールソケットジョイント及び移動可能なプレートのうちの少なくとも１つを備える、請求項１に記載の物品取付装置。
【請求項３】
前記調節可能な取付台が、ボールソケットジョイントを含み、前記ベースが、前記ボールソケットジョイントのソケット部を備え、前記突出部が、前記ボールソケットジョイントのボールに取付られた、請求項２に記載の物品取付装置。
【請求項４】
位置ロック機構が、保持ネジを備え、前記ボールソケットジョイントが、前記保持ネジによって所定位置に保持され、前記位置ロック機構が、ロックタブを備え、前記ボールソケットジョイントが、前記ロックタブによって所定位置に保持される、又は、前記位置ロック機構が、前記ベースの前記第２の主面上に一連のノッチを備え、前記移動可能なプレートが、前記ノッチに固定される、請求項２又は３に記載の物品取付装置。
【請求項５】
前記ベースの前記第２の主面が、前記突出部の中心位置を示す一連のマーカーを備える、請求項１〜４のいずれか一項に記載の物品取付装置。
【国際調査報告】
2019520168.tif 000012
2019520168.tif 000013
2019520168.tif 000014
2019520168.tif 000015
2019520168.tif 000016